(57)【特許請求の範囲】
【請求項１】
遊技機の遊技盤の縁部を被固定部に対し着脱可能に固定する遊技盤のクランプ装置において、
該被固定部に固定されるベース部材と、
該ベース部材に枢軸を介して回動可能に枢支され、該遊技盤の縁部を挟持する挟持部を有すると共に、開放時に遊技盤の縁部を押し出す押し出し部を有し、内側に係止ピンを設け、外側に把持部を突設した挟持部材と、
該ベース部材に枢軸を介して回動可能に枢支され、該挟持部材の該係止ピンに係合可能な係止フック部を有し、外側に把持部を突設したロック部材と、
該ベース部材に取り付けられ、ロック状態のとき、該遊技盤の縁部を、前記挟持部とともに挟持するばね挟持部を有するとともに、該ロック部材の該係止フック部を該挟持部材の該係止ピンに係合させる方向に付勢する押圧部を有する板ばねと、
を備え、開放状態の該挟持部材に対し該遊技盤の縁部を押し込むと、該挟持部材の回動と共に該係止ピンが移動して該ロック部材の係止フック部に係止され、且つ該板ばねの該押圧部が該ロック部材を、該係止フック部が該係止ピンを係止する側に付勢するとともに、該挟持部材が該板ばねの該ばね挟持部との間で該遊技盤の縁部を挟持し、該挟持部材の把持部と該ロック部材の把持部を挟持するように該挟持部材を開放方向に回動させると、該ロック部材がアンロック方向に回動して該係止フック部と該係止ピンの係合を解除し、該挟持部材が該遊技盤の縁部を開放することを特徴とする遊技盤のクランプ装置。
【請求項２】
前記挟持部材が、合成樹脂製の樹脂基部の両側を金属製の保持板により挟んで固定する一方、該樹脂基部をはずした該両側の保持板間に前記係止ピンを掛け渡すように固定して構成され、該樹脂基部の外側に把持部が突設されたことを特徴とする請求項１記載の遊技盤のクランプ装置。
【請求項３】
前記ロック部材は、アンロック状態のとき、前記係止フック部の外周面を前記挟持部材の係止ピンに押し付けるように、前記板ばねにより付勢されていることを特徴とする請求項１または２記載の遊技盤のクランプ装置。
【請求項４】
前記板ばねは、略Ｌ形に曲折して形成され、前記ベース部材の内側にその中間部がリベットにより固定されたことを特徴とする請求項１乃至３記載の遊技盤のクランプ装置。
【発明の詳細な説明】
【技術分野】
【０００１】
本発明は、パチンコ機などの遊技機における遊技盤を、着脱可能に固定する遊技盤のクランプ装置に関する。
【背景技術】
【０００２】
パチンコ機などの遊技機における遊技盤は、保守点検の際、或いは修理や盤面のマイナーチェンジなどの際、取り外す必要があるため、遊技機の前面枠に対し着脱可能に固定されている。
【０００３】
この種の固定具として、従来では、遊技盤の縁部を囲うように設けられた遊技盤取付枠に、係止部を回動可能に設けた回動形固定具を、取り付けてなる遊技盤用固定具が、下記特許文献１で提案されている。この種の遊技盤用固定具は、先ず遊技盤取付枠の内側に遊技盤を嵌め込み、次に、その係止部を約９０度回して、係止部により遊技盤の縁部を押し付けて固定するように使用される。
【先行技術文献】
【特許文献】
【０００４】
【特許文献１】特開平１１−１７９０１９号公報
【特許文献２】特開２００５−１６８６７９号公報
【発明の概要】
【発明が解決しようとする課題】
【０００５】
しかし、従来のこの種の遊技盤用固定具は、遊技盤を固定する際、先ず、遊技盤を持ち上げながら、前面枠の内側の遊技盤取付枠内に挿入し、さらにその状態の遊技盤を一方の手で押えながら、固定具の係止部を他方の手で回すように操作して、係止部により遊技盤の縁部を押し付け、係止部を付勢するばね部材のばね力により、係止部を遊技盤の縁部に押し付けて固定し、このとき、係止部はばね力により遊技盤を押し付けながら回動するため、回動時の摩擦抵抗が大きく、作業者にとっては、遊技盤を一方の手で押えながら固定具の係止部を他方の手で回す必要があって、作業性が悪く、また、係止部の係止具合によっては固定が不完全になりやすいという課題があった。
【０００６】
また、遊技盤の固定を解除して外す場合、遊技盤を一方の手で押さえながら、他方の手で回動形固定具の係止部を回して固定を解除し、この後、遊技盤の縁を持って遊技盤取付枠内から遊技盤を引き出すこととなるが、遊技盤には取手のような把持部がなく、作業者によっては盤面の装飾部分を取手の代用として持って遊技盤を引き出すため、装飾部分を汚したり傷つける虞があり、遊技盤を外す作業の作業性も悪いという課題があった。
【０００７】
一方、上記特許文献２には、別の構造の遊技盤固定具が、提案されている。この遊技盤固定具は、前枠に固定される固定部材の両側板の上部と下部に、２本の固定軸を支持させ、上部の固定軸にリンク板を介して操作部材を揺動可能にリンク結合させ、下部の固定軸には、遊技盤の縁部を嵌め込むためのクランプ凹部を有する嵌合部材を揺動可能に支持させ、その嵌合部材と上記操作部材とを、リンク板の可動軸とは別の可動軸により連結させ、可動軸と固定軸に取り付けた捻りコイルばねにより、嵌合部材を嵌合方向及び開放方向に付勢するように構成される。
【０００８】
しかし、この遊技盤固定具は、２本の固定軸と２本の可動軸という４本の軸を介して、操作部材と嵌合部材を揺動させながら、遊技盤の縁部を嵌合部材の凹部に嵌め込むように回動させる、所謂多軸ヒンジに近い構造のため、遊技盤の縁部を嵌合部材のクランプ凹部に押し込んでクランプさせた場合、操作部材と嵌合部材がスムーズに回動しにくい場合があり、クランプ時に操作部材と嵌合部材の回動が途中で停止し、クランプ動作が不十分な状態で、遊技盤の縁部が嵌合部材の凹部に嵌った場合には、作業者が嵌合部材を手で押し込み、或いは操作部材を開放側に手で回動させる操作が必要となるなどの課題があった。
【０００９】
本発明は、上述の課題を解決するものであり、遊技盤固定枠などの被固定部に対し遊技盤を円滑にガタツキなくクランプし、作業性良くアンクランプすることができる遊技盤のクランプ装置を提供することを目的とする。
【課題を解決するための手段】
【００１０】
本発明に係る請求項１の遊技盤のクランプ装置は、遊技機の遊技盤の縁部を被固定部に対し着脱可能に固定する遊技盤のクランプ装置において、
該被固定部に固定されるベース部材と、
該ベース部材に枢軸を介して回動可能に枢支され、該遊技盤の縁部を挟持する挟持部を有すると共に、開放時に遊技盤の縁部を押し出す押し出し部を有し、内側に係止ピンを設け、外側に把持部を突設した挟持部材と、
該ベース部材に枢軸を介して回動可能に枢支され、該挟持部材の該係止ピンに係合可能な係止フック部を有し、外側に把持部を突設したロック部材と、
該ベース部材に取り付けられ、ロック状態のとき、該遊技盤の縁部を、前記挟持部とともに挟持するばね挟持部を有するとともに、該ロック部材の該係止フック部を該挟持部材の該係止ピンに係合させる方向に付勢する押圧部を有する板ばねと、
を備え、開放状態の該挟持部材に対し該遊技盤の縁部を押し込むと、該挟持部材の回動と共に該係止ピンが移動して該ロック部材の係止フック部に係止され、且つ該板ばねの該押圧部が該ロック部材を、該係止フック部が該係止ピンを係止する側に付勢するとともに、該挟持部材が該板ばねの該ばね挟持部との間で該遊技盤の縁部を挟持し、該挟持部材の把持部と該ロック部材の把持部を挟持するように該挟持部材を開放方向に回動させると、該ロック部材がアンロック方向に回動して該係止フック部と該係止ピンの係合を解除し、該挟持部材が該遊技盤の縁部を開放することを特徴とする。
【００１１】
この発明によれば、遊技盤の縁部を、開放状態にあるクランプ装置の挟持部材の押し出し部内に挿入するように挟持部材を押して、挟持部材をクランプ方向に回動させるだけの簡単な操作により、遊技盤の縁部を板ばねのばね挟持部との間でクランプさせ、ガタツキなく強固に遊技盤を被固定部に固定することができる。また、遊技盤を外す際には、挟持部材の把持部とロック部材の把持部を挟むように持って挟持部材を開放方向に回動させるだけの簡単な操作で、ロック部材がアンロック方向に回動して係止フック部と係止ピンの係合を解除し、遊技盤の縁部を押し出すように挟持部材を回動させて、遊技盤を被固定部から離脱されることができる。
【００１２】
ここで、上記請求項１のクランプ装置において、上記挟持部材は、合成樹脂製の樹脂基部の両側を金属製の保持板により挟んで固定する一方、該樹脂基部をはずした該両側の保持板間に上記係止ピンを掛け渡すように固定して構成され、該樹脂基部の外側に把持部を突設することができる。
【００１３】
この発明によれば、クランプ装置を使用する遊技機の各メーカー希望する各種の形状の挟持部材を、比較的安価に製造することができ、また、挟持部材の把持部を、把持しやすい形状にかつ簡単に少ない工程で形成することができる。
【００１４】
また、上記のクランプ装置において、上記ロック部材は、アンロック状態のとき、上記係止フック部の外周面を上記挟持部材の係止ピンに押し付けるように、上記板ばねにより付勢される構造とすることができる。
【００１５】
この発明によれば、開放状態のクランプ装置において、挟持部材の挟持部が開放された状態で、挟持部材の係止ピンが板ばねの付勢力により、係止フック部の外周面を介して押圧されて、定位置に静止するので、これにより、開放状態の挟持部材にガタツキを生じさせず、良好に開放待機することができる。
【００１６】
また、上記のクランプ装置において、上記板ばねは、略Ｌ形に曲折して形成されて、上記ロック部材と上記挟持部材との間に配置され、上記ベース部材の内側にその中間部がリベットにより固定される構造とすることができる。
【００１７】
この発明によれば、板ばねの形状が簡単となり、板ばね、挟持部材、ロック部材の組付けも少ない工数で簡易となり、クランプ装置を安価に製造できる。
【発明の効果】
【００１８】
本発明の遊技盤のクランプ装置によれば、遊技盤固定枠などの被固定部に対し遊技盤を円滑に、ガタツキなくクランプし、作業性良くアンクランプすることができ、構造も比較的簡単で、安価に製造することができる。
【図面の簡単な説明】
【００１９】
【図１】本発明に一実施形態を示すクランプ装置の左側面側からの斜視図である。
【図２】同クランプ装置のクランプ状態の左側面図である。
【図３】同クランプ装置のアンクランプ状態の左側面図である。
【図４】同クランプ装置の正面図である。
【図５】同クランプ装置の平面図である。
【図６】同クランプ装置の底面図である。
【図７】同クランプ装置の分解斜視図である。
【図８】挟持部材の斜視図である。
【図９】クランプ動作を示す左側面の動作説明図である。
【図１０】アンクランプ（開放）動作を示す左側面の動作説明図である。
【図１１】クランプ装置の使用状態を示す正面図である。
【図１２】他の使用状態を示す正面図である。
【発明を実施するための形態】
【００２０】
以下、本発明の一実施形態を図面に基づいて説明する。図１は遊技盤用のクランプ装置の斜視図を示し、図２は同クランプ装置の左側面図を、図３はその開放状態のクランプ装置の左側面図を示している。このクランプ装置１は、遊技機の遊技盤３０の縁部を被固定部（遊技盤固定枠３１）に対し着脱可能に固定するクランプ装置であり、概略的には、被固定部に固定されるベース部材２と、ベース部材２に枢軸７を介して回動可能に枢支され、遊技盤の縁部を挟持する挟持部１０を有すると共に、開放時に遊技盤の縁部を押し出す押し出し部１６を有し、内側に係止ピン６を設け、外側に把持部１４を突設した挟持部材３と、ベース部材２に枢軸８を介して回動可能に枢支され、挟持部材３の係止ピン６に係合可能な係止フック部２１を有し、外側に把持部２２を突設したロック部材４と、ベース部材２に取り付けられ、遊技盤３０の縁部を、挟持部材３の挟持部１０の反対側から挟持するばね挟持部５ａを有し、挟持部材３を開放方向に付勢すると共に、ロック部材４の係止フック部２１を挟持部材３の係止ピン６に係合させる方向に付勢する板ばね５と、を備えて構成される。
【００２１】
図１、図７に示すように、基台となるベース部材２は、金属板を略コ字状に曲折して形成され、固定孔を設けた固定部２ａが背面側に設けられ、被固定部の遊技盤固定枠３１に固定部２ａが固定される。さらに、固定部２ａから両側に立ち上げる、ベース部材２の両側に側壁２ｃが形成され、両側の側壁２ｃの下部には、遊技盤３０の縁部を押し込んだ際にガイドする盤ガイド部２ｂが正面に向けて水平に形成されている。さらに、ベース部材２の両側の側壁２ｃには複数対の貫通孔が穿設され、これらの貫通孔には、挟持部材３用の枢軸７、及びロック部材４用の枢軸８が水平に掛け渡すように支持される。
【００２２】
さらに、ベース部材２の内側の固定部２ａに、略Ｌ形に曲折された板ばね５がリベット２８により固定される。この板ばね５には、その下端部にばね挟持部５ａが設けられ、板ばね５の上端部（正面側に突き出した部分）には、押圧部５ｂがロック部材４を付勢するように設けられ、板ばね５自体は遊技盤をガタツキなく挟持可能な、比較的強力なばね力を有したばね鋼から形成されている。
【００２３】
ベース部材２の両側壁２ｃの内側に、挟持部材３が枢軸７を介して所定の角度範囲内で回動可能に枢支される。この挟持部材３は、ベース部材２内に固定された板ばね５との間で、遊技盤の縁部を挟持可能に、つまり図２に示す挟持位置（クランプ位置）と図３に示す開放位置（アンクランプ位置）との間で回動可能に、枢軸７により軸支される。
【００２４】
挟持部材３は、図７、８に示すように、合成樹脂製の樹脂基部１３の両側を金属製の保持板１１，１２により挟んで固定する一方、樹脂基部１３をはずした両側の保持板１１，１２間に、係止ピン６を掛け渡すように固定して構成される。樹脂基部１３は、ポリアミド樹脂などの機械強度の高い樹脂材料により成形され、図１、７に示すように、略中央と略上端に貫通孔が水平横方向に形成される。また、樹脂基部１３の外側（正面側）に把持部１４が突設され、開放時にこの把持部１４を押し上げるように操作可能としている。
【００２５】
一方、保持板１１，１２は金属板により側面視を略コ字形として形成され、上記貫通孔と対応する位置に挿通孔が形成され、保持板１１，１２により樹脂基部１３を挟んだ状態で、固定ピン１５が略中央の挿通孔と貫通孔に挿通され、保持板１１，１２と樹脂基部１３が一体的に固定される。なお、樹脂基部１３は保持板１１，１２間の一部に配置されるのみで、図３などに示すように、保持板１１，１２の押し出し部１６から中央にかけて、係止ピン６を配置するための空間が保持板１１，１２間に形成されている。
【００２６】
また、略コ字形とした保持板１１，１２の内側は、遊技盤３０の縁部を挿入可能な大きさの嵌入空間１７として形成され、その嵌入空間１７の正面側（樹脂基部１３の内側面）が挟持部１０となっている。一方、挟持部材３の嵌入空間１７の背面側つまりベース部材２の固定部２ａ側には下側または斜め下方に突き出すように、１対の押し出し部１６が保持板１１，１２に形成されている。この押し出し部１６は、挟持部材３が開放動作する際、遊技盤３０の縁部を押し出すように作用するが、遊技盤をクランプする際には、図９に示す如く、遊技盤３０の縁部をこの押し出し部１６に押し付けて、挟持部材３をクランプ位置まで回動させるようになっている。また、図２，３のように、挟持部１０の先端側は、丸く切り欠いて曲面部１０ａとなっており、遊技盤３０の縁部を挟持部材３の嵌入空間１７に押し込むようにクランプしたとき、挟持部１０の先端が遊技盤３０の縁部に干渉せず、スムーズに挟持部材３が挟持方向に回動する構造となっている。
【００２７】
さらに、挟持部材３の両側の保持板１１，１２間における樹脂基部１３をはずした位置内には、係止ピン６が両側の保持板１１，１２間に水平横方向に掛け渡すように固定され、クランプ時に、ロック部材４の係止フック部２１が係止ピン６に係止されてロックされるようになっている。
【００２８】
一方、ロック部材４が、ベース部材２の両側壁２ｃ間に支持された枢軸８により、回動可能に枢支される。ロック部材４は、挟持部材３の嵌入空間１７に遊技盤３０の縁部を押し込んでクランプした際、そのクランプ状態をロックするものであり、挟持部材３とロック部材４との間に板ばね５が配設され、ロック部材４は板ばね５により挟持部材３の挟持状態をロックする方向に付勢される。枢軸８は図７に示すように、ベース部材２の側壁に設けた貫通孔に水平横方向に挿通され、ロック部材４はこの枢軸８によりベース部材２の内側でかつその係止フック部２１を挟持部材３の内側まで挿入可能に軸支される。つまり、ロック部材４は、図９に示すように、遊技盤３０の縁部を挟持部材３の嵌入空間１７に挿入し、押し出し部１６に縁部を押し付けて、挟持部材３をクランプ位置まで回動させたとき、係止フック部２１を係止ピン６に係止させて、挟持部材３をクランプ位置にロックするようになっている。
【００２９】
すなわち、ロック部材４は、図７に示すように、正面視を略門形にするように金属板を曲折して形成され、上部には正面側に突設された把持部２２を有し、下部両側には係止フック部２１が上記挟持部材３の保持板１１，１２内に挿入可能に、かつ係止ピン６に係止可能に形成されている。さらに、ロック部材４の係止フック部２１の外周面２３は、アンロック（開放）状態のとき、図３のように、挟持部材３の係止ピン６に対し比較的小ばね力で押し付けられるように、板ばね５により付勢される構造となっている。
【００３０】
これにより、クランプ装置が開放状態にあるとき、挟持部材３の挟持部１０が開放された状態で、係止フック部２１の外周面２３が、挟持部材３の係止ピン６を板ばね５の僅かなばね力により押圧して定位置に静止させるので、開放状態の挟持部材３にガタツキを生じさせず、開放待機することができる。つまり、板ばね５の上部は、図３の開放状態で、ロック部材４を図３の上方にばね力で付勢しており、一方、遊技盤３０の縁部を挟持部材３の嵌入空間１７に押し込むと、板ばね５の付勢力に抗して、ロック部材４の係止フック部２１の外周面２３が図３の左に押圧され、これにより、挟持部材３が図２の時計方向に回動し、ロック部材４の係止フック部２１に係止ピン６が嵌入して係止され、挟持部材３を図２のような挟持姿勢でロックするようになっている。
【００３１】
また、上記のように、挟持部材３は、合成樹脂製の樹脂基部１３の両側を金属製の保持板１１，１２により挟んで固定し、樹脂基部１３の一部を把持部１４として前方に突設しているので、アンクランプの際に挟持部材３を把持しやすく、また、ユーザの希望に応じて、各種の厚さの挟持部材３を安価に製造することができる。
【００３２】
次に、上記構成の遊技盤用のクランプ装置１の動作を説明する。クランプ装置１は、図１１に示すように、パチンコ遊技機の前面枠内に取り付けられた遊技盤固定枠３１の所定箇所に、そのベース部材２の固定部２ａと固定ねじを用いて固定される。遊技盤３０の右側縁部の上部と下部には、図１１のように、方形切欠部が形成され、この方形切欠部に対応した遊技盤固定枠３１の上部位置と下部位置に、１対のクランプ装置１が上部では下向きに（挟持部材３の挟持部１０を下に向けて）、下部では上向きに（挟持部材３の挟持部１０を上に向けて）固定される。各クランプ装置１の挟持部１０と押し出し部１６は、遊技盤固定枠３１から遊技盤３０側に突き出してクランプ可能に取り付けられる。
【００３３】
遊技盤３０の左側端部は、側端保持部３２によって、ある程度の範囲で回動可能に保持される。側端保持部３２は、例えば板ばねを曲折して形成され、遊技盤３０の左側端部を側端保持部３２の凹部内に、ばね弾性を生じさせながら嵌め込み可能な形成されている。
【００３４】
遊技盤３０は、遊技盤固定枠３１に取り付ける際、まず、その左側端部を側端保持部３２の凹部内に、ばね弾性を生じさせながら嵌め込み、遊技盤３０の右側縁部をある程度の範囲で回動可能に保持させる。
【００３５】
その状態で、遊技盤３０の右側端部を、開放状態にあるクランプ装置１の挟持部材３の嵌入空間１７内に軽く押し込むようにする。
【００３６】
このとき、図９（ａ）に示す如く、遊技盤３０の背面または前面の右側端部が、先ず挟持部材３の押し出し部１６に当たり、挟持部材３が図９の上方向に押されると、挟持部材３は枢軸７を中心に図９の時計方向に回動する。このとき、図９（ｂ）に示すように、挟持部材３内の係止ピン６がロック部材４の係止フック部２１の外周面２３を押すため、ロック部材４が僅かに時計方向に回動する。そして、図９（ｃ）から図９（ｄ）に示すように、係止ピン６が係止フック部２１の先端を越えたとき、板ばね５の押圧部５ｂのばね力によりロック部材４が反時計方向に回動して元の位置に戻り、係止ピン６が係止フック部２１内に嵌入して係止され、この状態で、遊技盤３０の縁部が挟持部材３の挟持部１０と板ばね５のばね挟持部５ａとの間で完全に挟持され、挟持部材３はロック部材４によりその挟持状態をロックされる。
【００３７】
このように、遊技盤３０の縁部を、開放状態にあるクランプ装置１の挟持部材３の嵌入空間１７内に挿入し、押し出し部１６を押し込むように挟持部材３を回動させるだけの簡単な操作により、遊技盤３０の縁部をクランプさせて、遊技盤３０を被固定部である遊技盤固定枠３１に対し固定することができる。図１１に示す遊技盤固定枠３１の場合、クランプ装置１はその右側端部の上部と下部に固定されており、遊技盤３０の右側端部を上下のクランプ装置１に対し押し込むだけの極めて簡単なワンアクション操作のみで、遊技盤３０の右側端部の上部と下部をクランプすることができる。また、遊技盤３０の縁部は、板ばね５のばね挟持部５ａと挟持部材３の挟持部１０との間で強固に挟持され、その挟持状態はロック部材４の係止フック部２１が係止ピン６をロックすることにより強固に保持されるので、遊技盤３０に外す方向の荷重がかかったとしても、外れることはない。
【００３８】
一方、クランプ装置１を開放する場合、図１０（ａ）のように、挟持部材３の把持部１４とロック部材４の把持部２２を親指と人差し指などで挟むようにし、図１０（ｂ）のように、挟持部材３を僅かに反時計方向に、ロック部材４を僅かに時計方向に回動させる。このとき、図１０（ｃ）のように、係止ピン６が係止フック部２１の内側から外側に向けて移動し、係止フック部２１の先端を越えると、図１０（ｄ）のように、ロック部材４の係止フック部２１の先端が係止ピン６を図の下側に押圧する状態となり、挟持部材３は、図１０（ｄ）のように、完全に開放する位置まで回動し、ベース部材２の両側壁２ｃの内側の凸部にその一部が当接して停止する。このとき、遊技盤３０の縁部は、挟持部材３の押し出し部１６により前方に押し出され、開放される。
【００３９】
この状態で、開放状態となったクランプ装置１の挟持部材３は、その係止ピン６がロック部材４の係止フック部２１の外周面２３により押し付けられ、ガタツキなく静止し、ロック部材４は板ばね５の付勢力により図１０（ｄ）の状態が保持され、各部材がガタツキなく保持されることとなる。したがって、次に、再び遊技盤３０の縁部をクランプ装置１にクランプする際にも、上述の如く、遊技盤３０の縁部を、開放状態にあるクランプ装置１の挟持部材３の嵌入空間１７内に挿入し、押し出し部１６を押し込むように挟持部材３をスムーズに回動させるだけの簡単な操作により、遊技盤３０の縁部をクランプさせることができる。
【００４０】
なお、上記実施形態では、図１１のように、遊技盤固定枠３１の上部にクランプ装置１を下向きに固定し、その下部に別のクランプ装置１を上向きに固定して使用したが、図１２のように、遊技盤固定枠３１の上部と下部にクランプ装置１を横向きに（遊技盤３０の縁部に向けて水平に）固定して使用することもできる。また、クランプ装置１を固定する遊技盤固定枠３１の位置としては、上記のように、右側端部の他、枠の上辺部としてクランプ装置１を下向きに固定し、或いは枠の下辺部としてクランプ装置１を上向きに固定して使用することもできる。
【符号の説明】
【００４１】
１      クランプ装置
２      ベース部材
２ａ    固定部
２ｂ    盤ガイド部
２ｃ    側壁
３      挟持部材
４      ロック部材
５ａ    挟持部
５ｂ    押圧部
６      係止ピン
７      枢軸
８      枢軸
１０    挟持部
１０ａ  曲面部
１１    保持板
１２    保持板
１３    樹脂基部
１４    把持部
１５    固定ピン
１６    押し出し部
１７    嵌入空間
２１    係止フック部
２２    把持部
２３    外周面
２８    リベット
３０    遊技盤
３１    遊技盤固定枠
３２    側端保持部
【図１】
0005587711.tif 000002
【図２】
0005587711.tif 000003
【図３】
0005587711.tif 000004
【図４】
0005587711.tif 000005
【図５】
0005587711.tif 000006
【図６】
0005587711.tif 000007
【図７】
0005587711.tif 000008
【図８】
0005587711.tif 000009
【図９】
0005587711.tif 000010
【図１０】
0005587711.tif 000011
【図１１】
0005587711.tif 000012
【図１２】
0005587711.tif 000013